(57)【特許請求の範囲】
【請求項１】
交通機関の乗降履歴が記録された電子媒体から、前記乗降履歴および前記電子媒体の媒体ＩＤを読み取る読取部と、
前記媒体ＩＤを、前記媒体ＩＤに対応する会員情報に紐付けられたポイント数と来店日情報が記憶された記憶部を有するポイントサーバに送信し、前記媒体ＩＤに対応する会員情報に紐付けられた会員の前回来店日情報を前記ポイントサーバから取得する取得部と、
前回来店日における指定場所からの乗車履歴が前記乗降履歴から抽出されると、前記記憶部に記憶される媒体ＩＤに対応する会員情報に紐づけられたポイント数を更新してポイントを付与するように前記ポイントサーバに対して指示を行うポイント付与制御部と、
を含む、ポイント端末装置。
【請求項２】
会員番号、媒体ＩＤ、前回来店日情報を含む会員情報及び会員番号に紐づけて会員の所有ポイントに関する情報を記憶する記憶部と、
ポイント端末から受信した媒体ＩＤに対応する前記会員番号に紐付けられた前記前回来店日情報を、前記ポイント端末に返信する制御と、
ポイント付与の指示に応じて前記会員番号に紐付けられる所有ポイントを付与する制御を行う制御部と、
を有するポイントサーバと、
交通機関の乗降履歴が記録された電子媒体から、前記乗降履歴および前記電子媒体の前記媒体ＩＤを読み取る読取部と、
前記媒体ＩＤを前記ポイントサーバに送信し、前記媒体ＩＤに対応する前記前回来店日情報を取得する取得部と、
前回来店日における指定場所からの乗車履歴が前記乗降履歴から抽出されると、前記所有ポイントを付与するように前記ポイントサーバに指示を行うポイント付与制御部と、
を有するポイント端末と、
を含む、ポイント付与システム。
【請求項３】
前記交通機関は、電車またはバスであって、
前記指定場所は、店舗の最寄りの駅または停留所である、請求項１に記載のポイント端末装置。
【請求項４】
前記取得部は、前記媒体IDに基づいて、前記会員への前回ポイント付与日または前記会員の前回ポイント利用日を前記前回来店日情報として取得する、請求項１または３に記載のポイント端末装置。
【請求項５】
前記ポイント付与制御部は、前回来店日における来店時間よりも後の時間に前記指定場所から交通機関に乗車する履歴が抽出された際に、前記ポイントを付与する、請求項１、および３または４のいずれか１項に記載のポイント端末装置。
【請求項６】
前記ポイント付与制御部は、前記来店時間よりも後の所定時間内に前記指定場所から交通機関に乗車する履歴が抽出された際に、前記ポイントを付与する、請求項５に記載のポイント端末装置。
【請求項７】
前記ポイント端末装置は、
表示部と、
前記ポイントの付与に関する情報を前記表示部に表示するよう制御する表示制御部と、
をさらに備える、請求項１、および３〜６のいずれか１項に記載のポイント端末装置。
【請求項８】
コンピュータを、
交通機関の乗降履歴が記録された電子媒体から、前記乗降履歴および前記電子媒体の媒体ＩＤを読み取る読取部と、
前記媒体ＩＤを、前記媒体ＩＤに対応する会員情報に紐付けられたポイント数と来店日情報が記憶された記憶部を有するポイントサーバに送信し、前記媒体ＩＤに対応する会員情報に紐付けられた会員の前回来店日情報を前記ポイントサーバから取得する取得部と、
前回来店日における指定場所からの乗車履歴が前記乗降履歴から抽出されると、前記記憶部に記憶される媒体ＩＤに対応する会員情報に紐づけられたポイント数を更新してポイントを付与するように前記ポイントサーバに対して指示を行うポイント付与制御部と、
として機能させるための、プログラム。
【発明の詳細な説明】
【技術分野】
【０００１】
本発明は、ポイント端末装置およびプログラムに関する。
【背景技術】
【０００２】
従来から、店舗への来場や商品購入に応じて次回商品購入時に利用可能なポイントを店舗から購入者に付与するシステムが提案されている。具体的には、例えば購入者の会員登録を行い、商品販売時に当該会員に発行した磁気／ＩＣカードから会員番号を読み取り、当該会員番号に紐づけてポイントの付与を行う。
【０００３】
このようなポイント付与システムに関し、例えば下記特許文献１、２では、店舗での商品購入と交通機関の利用を関連させて相乗効果を得るために、商品購入時に付与されたポイントを交通機関で利用可能とするシステムが提案されている。かかるシステムでは、店舗で商品を購入した後の帰りの交通機関を利用する際に、店舗で付与されたポイントを利用することができる。
【０００４】
また、下記特許文献３には、商品購入後の帰り（復路）の鉄道料金を割り引くために、商品購入時に電子クーポンを発行する技術が記載されている。また、下記特許文献４には、ＩＣカードに記録された交通機関の利用履歴が所定の条件を満たす場合に特典を与える技術が記載されている。
【先行技術文献】
【特許文献】
【０００５】
【特許文献１】特開２００４−２５２８０３号公報
【特許文献２】特開２００７−１２２３３４号公報
【特許文献３】特開２００２−３２４２５６号公報
【特許文献４】特開２００１−３３１７２０号公報
【発明の概要】
【発明が解決しようとする課題】
【０００６】
上記特許文献１〜４で開示されている技術では、店舗での購入に応じて鉄道で利用可能なポイントを付与することで主に帰宅時の鉄道利用を促して鉄道利用者の増加を図り、エコ効果を目的としている。しかしながら、上記特許文献１〜４では、鉄道等の交通機関の利用を店舗への再来場に結び付ける技術については言及されておらず、交通機関の利用は促されても、店舗への再来場が促されていなかった。
【０００７】
そこで、本発明は、上記問題に鑑みてなされたものであり、本発明の目的とするところは、交通機関の利用と店舗への再来場を促すことが可能な、新規かつ改良されたポイント端末装置およびプログラムを提供することにある。
【課題を解決するための手段】
【０００８】
上記課題を解決するために、本発明のある観点によれば、交通機関の乗降履歴が記録された電子媒体から、前記乗降履歴および前記電子媒体の媒体ＩＤを読み取る読取部と、前記媒体ＩＤを、前記媒体ＩＤに対応する会員情報に紐付けられたポイント数と来店日情報が記憶された記憶部を有するポイントサーバに送信し、前記媒体ＩＤに対応する会員情報に紐付けられた会員の前回来店日情報を前記ポイントサーバから取得する取得部と、前回来店日における指定場所からの乗車履歴が前記乗降履歴から抽出されると、前記記憶部に記憶される媒体ＩＤに対応する会員情報に紐づけられたポイント数を更新してポイントを付与するように前記ポイントサーバに対して指示を行うポイント付与制御部と、を含む、ポイント端末装置が提供される。
また、上記課題を解決するために、本発明の別の観点によれば、会員番号、媒体ＩＤ、前回来店日情報を含む会員情報及び会員番号に紐づけて会員の所有ポイントに関する情報を記憶する記憶部と、ポイント端末から受信した媒体ＩＤに対応する前記会員番号に紐付けられた前記前回来店日情報を、前記ポイント端末に返信する制御と、ポイント付与の指示に応じて前記会員番号に紐付けられる所有ポイントを付与する制御を行う制御部と、を有するポイントサーバと、交通機関の乗降履歴が記録された電子媒体から、前記乗降履歴および前記電子媒体の前記媒体ＩＤを読み取る読取部と、前記媒体ＩＤを前記ポイントサーバに送信し、前記媒体ＩＤに対応する前記前回来店日情報を取得する取得部と、前回来店日における指定場所からの乗車履歴が前記乗降履歴から抽出されると、前記所有ポイントを付与するように前記ポイントサーバに指示を行うポイント付与制御部と、を有するポイント端末と、を含む、ポイント付与システムが提供される。
【０００９】
また、前記交通機関は、電車またはバスであって、前記指定場所は、店舗の最寄りの駅または停留所であってもよい。
【００１０】
また、前記取得部は、前記媒体IDに基づいて、前記会員への前回ポイント付与日または前記会員の前回ポイント利用日を前記前回来店日情報として取得してもよい。
【００１１】
また、前記ポイント付与制御部は、前回来店日における来店時間よりも後の時間に前記指定場所から交通機関に乗車する履歴が抽出された際に、前記ポイントを付与してもよい。
【００１２】
また、前記ポイント付与制御部は、前記来店時間よりも後の所定時間内に前記指定場所から交通機関に乗車する履歴が抽出された際に、前記ポイントを付与してもよい。
【００１３】
また、前記取得部は、通信網を介して接続されたポイントサーバから前記媒体IDに基づいて前記前回来店日情報を受信してもよい。
【００１４】
また、前記ポイント端末装置は、表示部と、前記ポイントの付与に関する情報を表示部に表示するよう制御する表示制御部と、をさらに備えてもよい。
【００１５】
また、上記課題を解決するために、本発明の別の観点によれば、コンピュータを、交通機関の乗降履歴が記録された電子媒体から、前記乗降履歴および前記電子媒体の媒体ＩＤを読み取る読取部と、前記媒体ＩＤを、前記媒体ＩＤに対応する会員情報に紐付けられたポイント数と来店日情報が記憶された記憶部を有するポイントサーバに送信し、前記媒体ＩＤに対応する会員情報に紐付けられた会員の前回来店日情報を前記ポイントサーバから取得する取得部と、前回来店日における指定場所からの乗車履歴が前記乗降履歴から抽出されると、前記記憶部に記憶される媒体ＩＤに対応する会員情報に紐づけられたポイント数を更新してポイントを付与するように前記ポイントサーバに対して指示を行うポイント付与制御部と、として機能させるための、プログラムが提供される。
【発明の効果】
【００１６】
以上説明したように本発明によれば、交通機関の利用と店舗への再来場を促すことができる。
【図面の簡単な説明】
【００１７】
【図１】本実施形態によるポイント付与システムの概要について説明するための図である。
【図２】本実施形態によるポイント端末の構成の一例を示す図である。
【図３】本実施形態によるポイントサーバ３の構成の一例を示す図である。
【図４】本実施形態によるポイント付与処理を示すシーケンス図である。
【図５】本実施形態によるポイント付与判定処理を示すフローチャートである。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．ポイント付与システムの概要＞
まず、本発明の一実施形態によるポイント付与システムの概要について図１を参照して説明する。図１に示したように、本実施形態によるポイント付与システム１００は、ポイント端末１およびポイントサーバ３を含み、これらは例えば通信網４を介して接続される。
【００２０】
ポイント端末１は、各店舗に設置されるキオスク端末装置であって、カード挿入口１２ａから挿入されたカードに基づいて利用者に所定のポイント付与等の処理を行う。具体的には、本実施形態によるポイント端末１は、カード挿入口１２ａから挿入された利用者の交通系ＩＣカード２から利用者の乗降履歴を読み取り、乗降履歴に応じて所定のポイントを付与する。
【００２１】
交通系ＩＣカード２は、交通機関で利用される非接触型のカードであって、利用者は改札口に設置されている自動改札装置１０１等の読み取り部にかざすだけで自動清算ができ、改札を通過することができる。この際、交通系ＩＣカード２には乗車履歴が記憶される。
【００２２】
ポイントサーバ３は、例えば会員番号に紐付けてポイントを記憶し、ポイント端末１からの指示に応じて、ポイント付与等の管理を行う。
【００２３】
以上説明した構成を有するポイント付与システム１００では、来店時に利用者がポイント端末１に挿入した交通系ＩＣカード２から乗降履歴を読み取り、前回来店時の帰りに最寄駅等の指定場所から電車に乗っていた場合には、帰宅時ポイントを付与することが可能となる。これにより、本実施形態では、来店時の帰りの交通機関の利用に応じたポイントを次回来店時に付与することで、店舗を訪れた後の交通機関の利用と再来店を促すことができる。
【００２４】
＜２．各装置の構成＞
続いて、図２〜図３を参照して、ポイント付与システム１００に含まれるポイント端末１およびポイントサーバ３の各構成について具体的に説明する。
【００２５】
（２−１．ポイント端末１）
図２は、本実施形態によるポイント端末１の構成の一例を示すブロック図である。図２に示すように、ポイント端末１は、制御部１０、タッチパネルディスプレイ１１、カードＲ／Ｗ（Read／Write）部１２、Ｉ／Ｆ（interface）部１３、および記憶部１４を有する。
【００２６】
（制御部１０）
制御部１０は、ポイント端末１に内蔵されるＣＰＵ（Central Processing Unit）、ＲＯＭ（Read Only
Memory）、およびＲＡＭ（Random Access Memory）などのハードウェアを用いて、ポイント端末１の動作を全般的に制御する。例えば、本実施形態による制御部１０は、図１に示すようにポイント端末１の正面側に設けられたカード挿入口１２ａから挿入された交通系ＩＣカード２からカードＲ／Ｗ部１２により読み出したカードＩＤに基づいて、利用者の前回来店日情報をポイントサーバ３から取得する取得部として機能する。前回来店日情報は、例えば前回ポイント利用日時情報または前回ポイント付与日時情報が相当し得る。
【００２７】
また、制御部１０は、前回来店日における利用者の乗降履歴を、交通系ＩＣカード２から読み出した乗降履歴から検索し、利用者が前回来店日に指定場所（例えば最寄りの駅）から乗車していた場合に、当該利用者に店舗での商品購入時等に利用が可能なポイントを付与するよう制御するポイント付与制御部としても機能する。ポイントの付与は、例えばＩ／Ｆ部１３から通信網４を介してポイントサーバ３に指示することで実現される。
【００２８】
また、制御部１０は、ポイント付与結果等をタッチパネルディスプレイ１１に表示するよう制御する表示制御部として機能する。そして、制御部１０は、ポイント付与等の終了後、挿入された交通系ＩＣカード２をカード挿入口１２ａから排出して利用者に返却するよう制御する。
【００２９】
なお制御部１０は、通常のポイントカードがカード挿入口１２ａから挿入された場合、カードＲ／Ｗ部１２が当該ポイントカードから読み取った会員ＩＤに紐付けられた現在の所有ポイント数をポイントサーバ３から取得し、タッチパネルディスプレイ１１に表示するよう制御してもよい。
【００３０】
（タッチパネルディスプレイ１１）
タッチパネルディスプレイ１１は、操作表示部の一例であって、ユーザからの操作入力を受付ける操作部としての機能と、画像の表示を行う表示部としての機能を有する。表示部は、例えば液晶ディスプレイ（ＬＣＤ:Liquid Crystal Display）装置や、ＯＬＥＤ（Organic
Light Emitting Diode）装置などにより実現される。また、操作部は、ユーザの指による画面へのタッチ位置を検知するタッチパネルにより実現される。
【００３１】
タッチパネルディスプレイ１１には、制御部１０の制御に従って、利用者の現在の所有ポイント数や、ポイント付与の通知等が表示される。また、例えばタッチパネルディスプレイ１１には、「終了」ボタンが表示され、「終了」ボタンが選択されると、制御部１０によりカード挿入口１２ａからのカード返却処理が行われ得る。
【００３２】
（カードＲ／Ｗ部１２）
カードＲ／Ｗ部１２は、カード挿入口１２ａから挿入されたカードから情報を読み取り、読取情報を制御部１０に出力する。また、カードＲ／Ｗ部１２は、カード挿入口１２ａから挿入されたカードに対して、制御部１０の制御に従って情報の書き込みを行う。具体的には、カードＲ／Ｗ部１２は、カード挿入口１２ａから挿入された交通系ＩＣカードからカードＩＤおよび交通機関の乗降履歴を読み取り、制御部１０に出力する。なおカードＲ／Ｗ部１２は、通常のポイントカードが挿入された場合、当該ポイントカードから会員ＩＤを読み取って制御部１０に出力することも可能である。
【００３３】
（Ｉ／Ｆ部１３）
Ｉ／Ｆ部１３は、通信網４を介して接続するポイントサーバ３とデータの送受信を行う。例えばＩ／Ｆ部１３は、制御部１０の制御にしたがって、該当利用者へのポイント付与の指示を、通信網４を介してポイントサーバ３へ送信する。
【００３４】
（記憶部１４）
記憶部１４は、各種ソフトウェアや、様々なデータなどを記憶する。例えば記憶部１４は、上述した制御部１０による各種処理を実行するためのプログラムを記憶する。
【００３５】
以上、本実施形態によるポイント端末１の構成について説明した。続いて、ポイントサーバ３の構成について図３を参照して説明する。
【００３６】
（２−２．ポイントサーバ３）
図３は、本実施形態によるポイントサーバ３の構成の一例を示すブロック図である。図３に示すように、ポイントサーバ３は、制御部３０、通信部３１、会員情報ＤＢ（データベース）３２、およびポイントＤＢ３３を有する。
【００３７】
（制御部３０）
制御部３０は、ポイントサーバ３に内蔵されるＣＰＵ、ＲＯＭ、およびＲＡＭなどのハードウェアを用いて、ポイントサーバ３の動作を全般的に制御する。例えば制御部３０は、ポイント端末１から送信されたカードＩＤに紐付けられた会員情報を会員情報ＤＢ３２から検索し、検索した会員情報に含まれる前回ポイント利用日時情報または前回ポイント付与日時情報を、利用者の前回来店日情報としてポイント端末１に返信するよう制御する。
【００３８】
また、制御部３０は、ポイント端末１から送信されたカードＩＤに紐付けられた会員情報を会員情報ＤＢ３２から検索し、検索した会員情報に含まれる会員番号に基づいてポイントＤＢ３３から現在の所有ポイント数を抽出し、ポイント端末１に返信するよう制御することも可能である。さらに、制御部３０は、ポイント端末１からポイント付与の指示を受信した場合、ポイントＤＢ３３に格納されている該当会員のポイント情報を更新してポイント付与を実行する。
【００３９】
（通信部３１）
通信部３１は、通信網４を介して１以上のポイント端末１と接続し、データの送受信を行う。例えば通信部３１は、ポイント端末１からカードＩＤを受信し、カードＩＤに紐付けられた会員（利用者）の前回来店日情報やポイント数情報をポイント端末１に送信する。
【００４０】
（会員情報ＤＢ３２）
会員情報ＤＢ３２は、登録された会員の会員情報を記憶する。会員情報は、会員番号に紐付けられ、例えば会員の氏名、年齢、電話番号、住所、購入履歴、会員登録日、カードＩＤ、前回ポイント利用日時、および前回ポイント付与日時等を含む。ここで、前回ポイント利用日時とは、当該店舗において商品購入時にポイントの利用が行われた直近の日時を示す。また、前回ポイント付与日時とは、当該店舗における来店ポイント、購入ポイント、または後述する帰宅時ポイント等の各種ポイントの付与が行われた直近の日時を示す。来店ポイントとは、店舗への来店時に付与されるポイントである。購入ポイントとは、店舗での商品購入時に付与されるポイントであって、例えばＰＯＳレジ（不図示）から通信網４を介してポイントサーバ３に購入額が送信され、ポイントサーバ３において当該購入額に応じたポイントの付与処理が実行される。
【００４１】
（ポイントＤＢ３３）
ポイントＤＢ３３は、会員番号に紐付けて会員の所有ポイントに関する情報を記憶する記憶部である。所有ポイントに関する情報は、ポイント数の他、例えばポイント利用期限等を含む。
【００４２】
以上、本実施形態によるポイントサーバ３の構成について具体的に説明した。
【００４３】
＜３．動作処理＞
続いて、本実施形態によるポイント付与動作について、図４〜図５を参照して具体的に説明する。
【００４４】
（３−１．ポイント付与処理）
図４は、本実施形態によるポイント付与処理を示すシーケンス図である。図４に示すように、まず、利用者により交通系ＩＣカード２がポイント端末１に挿入されると、ポイント端末１はカードＲ／Ｗ部１２によりカードＩＤおよび乗降履歴を読み取る（Ｓ１０６）。
【００４５】
次に、ポイント端末１は、読み取ったカードＩＤをポイントサーバ３に送信すると（Ｓ１０９）、ポイントサーバ３において当該カードＩＤに基づいて会員情報の検索が行われる（Ｓ１１２）。
【００４６】
次いで、ポイントサーバ３は、検索した会員情報から抽出した前回ポイント利用日時または前回ポイント付与日時を、前回来店日時情報としてポイント端末１へ送信する。なおポイントサーバ３は、前回ポイント利用日時および前回ポイント付与日時の両方の情報が会員情報に含まれている場合、直近日時の方の情報を送信する。
【００４７】
続いて、ポイント端末１は、ポイントサーバ３から送信された前回来店日時情報と、交通系ＩＣカード２から読み取られた乗降履歴とに基づいて、帰宅時ポイントを付与するか否かの判定処理を行う。帰宅時ポイント判定処理については、図５を参照して後述する。
【００４８】
次に、帰宅時ポイント付与の判定条件を満たす場合（Ｓ１２１／Ｙｅｓ）、ポイント端末１は、帰宅時ポイントを付与するようポイントサーバ３に指示する（Ｓ１２４）。ここで、帰宅時ポイントとは、前回来店時の帰りに、最寄駅等の指定場所から交通機関を利用したか否かに応じて付与されるポイントであって、交通機関の利用促進と再来店の促進に用いられる。
【００４９】
また、ポイント端末１は、今回の来店に対して来店ポイントを付与するようポイントサーバ３に指示する（Ｓ１２７）。なお来店ポイントは、帰宅時ポイント付与の判定条件を満たさない場合（Ｓ１２１／Ｎｏ）にも付与され得る。
【００５０】
次いで、ポイントサーバ３の制御部３０は、ポイント端末１から指示に従って、所定ポイントの付与処理を実行する（Ｓ１３０）。
【００５１】
次に、ポイント端末１の制御部１０は、タッチパネルディスプレイ１１に、ポイント付与の通知や、現在の所有ポイントの表示を行う（Ｓ１３３）。
【００５２】
そして、ポイント端末１は、交通系ＩＣカード２をカード挿入口１２ａから排出して利用者に返却する（Ｓ１３６）。
【００５３】
以上、本実施形態によるポイント付与処理について具体的に説明した。なお、上述した来店ポイントの付与（Ｓ１２７）は必ずしも行われなくてもよい。続いて、上記Ｓ１１８に示す帰宅時ポイント付与の判定処理について図５を参照して詳述する。
【００５４】
（３−２．ポイント付与判定処理）
図５は、本実施形態によるポイント付与判定処理を示すフローチャートである。ポイント端末１の制御部１０は、交通系ＩＣカード２から読み取られた乗降履歴の中に、指定駅からの乗車履歴があるか否かを判断する（Ｓ２０３）。指定駅は、店舗側により予め設定され、例えばポイント端末１の記憶部１４に記憶されていてもよい。
【００５５】
次に、指定駅からの乗車履歴がある場合（Ｓ２０３／Ｙｅｓ）、制御部１０は、指定駅での乗車が前回来店日と同日か否かを判断する（Ｓ２０６）。
【００５６】
次いで、指定駅での乗車が前回来店日と同日である場合（Ｓ２０６／Ｙｅｓ）、制御部１０は、前回来店時刻よりも指定駅での乗車時刻が遅いか否かを判断する（Ｓ２０９）。すなわち、制御部１０は、利用者が前回来店した帰りに指定駅から交通機関を利用したか否かを判断する。
【００５７】
そして、前回来店時刻よりも指定駅での乗車時刻が遅い場合（Ｓ２０９／Ｙｅｓ）、制御部１０は、ポイント付与の条件を満たすと判断する（Ｓ２１２）。
【００５８】
一方、乗降履歴の中に指定駅からの乗車履歴がない場合（Ｓ２０３／Ｎｏ）、また、指定駅からの乗車が前回来店日と異なる場合（Ｓ２０６／Ｙｅｓ）、若しくは前回来店の時刻より乗車の時刻が早い場合（Ｓ２０９／Ｙｅｓ）、制御部１０は、ポイント付与の条件を満たさないと判断する。
【００５９】
以上、本実施形態による帰宅時ポイント付与の判定処理について具体的に説明した。なお上記Ｓ２０６、Ｓ２０９に示す処理は、前回来店日時から所定時間内に指定駅から乗車したか否かを判断する処理に変更してもよい。すなわち、前回来店時の帰りに深夜０時を過ぎてから指定駅で乗車した場合、上記Ｓ２０６に示す「同日」の条件から外れてしまうためである。また、このように「同日」の条件から外れてしまう場合を防止するためには、上記Ｓ２０６で示す「同日」の定義を、指定駅からの終電時刻までとしてもよい。
【００６０】
＜４．まとめ＞
以上説明したように、本実施形態によるポイント付与システム１００は、交通系ＩＣカード２に記憶されている乗降履歴を参照して、前回来店時の帰りに指定場所から交通機関を利用していた場合に、当該店舗で利用可能なポイントを付与することで、交通機関の利用と店舗への再来場を促すことができる。
【００６１】
すなわち、利用者（ポイント会員）は、来店後の帰宅時に電車を利用しても、再来場（再来館）しなければポイントが付与されないため、再来場（再来館）を促す効果がある。
【００６２】
また、本実施形態によるポイント付与システム１００は、交通機関のシステムとは連携しない独立したシステムであるが、交通機関の利用と店舗への再来場を促進することができる。
【００６３】
また、交通機関は、電車の他、バスであってもよく、上述した指定場所とは、店舗の最寄りの駅または最寄りの停留所であってもよい。また、指定場所は、店舗の最寄りの場所に限定されず、一駅離れた場所等であってもよい。
【００６４】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６５】
例えば、本発明の実施形態によれば、ＣＰＵ、ＲＯＭ、およびＲＡＭなどのハードウェアを、上述したポイント端末１またはポイントサーバ３の各構成と同等の機能を発揮させるためのコンピュータプログラムも提供可能である。また、該コンピュータプログラムが記録された記録媒体も提供される。
【符号の説明】
【００６６】
１    ポイント端末
１０  制御部
１１    タッチパネルディスプレイ
１２    カードＲ／Ｗ部
１３    Ｉ／Ｆ部
２    交通系ＩＣカード
３    ポイントサーバ
４    通信網
１００    ポイント付与システム
１０１    交通系自動改札装置
【図１】
0006488813.tif 000002
【図２】
0006488813.tif 000003
【図３】
0006488813.tif 000004
【図４】
0006488813.tif 000005
【図５】
0006488813.tif 000006